(57)【要約】【課題】  低コストで偽造防止効果が高く、容易に真偽判別が可能な網点画像データの作成方法、作成システム及び作成用プログラム、並びに網点画像データ又は網点印刷物の認証システム及び認証用プログラムを提供する。【解決手段】  網点印刷物の作成に用いる画像データを入力し、モノクロのグレー階調画像に変換し、１つの第１のハーフトーン領域とこれに隣接する第２のハーフトーン領域とが複数組配置された網点画像を生成する。そして第１のハーフトーン領域における網点の消去を行い、第２のハーフトーン領域のみの網点画像データを生成する。第２のハーフトーン領域における階調表現を行うためのドットを、赤外線吸収性を有するブラックインキを用いて着色するための画像画像データ処理、ドットの周囲を、赤外線吸収性を有しない同色系のシアン、マゼンタ、イエローインキを用いて着色するための画像画像データ処理を行い、得られた網点画像データを出力する。【選択図】  図１１
2005103980.tif 000002
【特許請求の範囲】
【請求項１】
網点画像データを作成する方法において、
網点印刷物の作成に用いる画像データを入力するステップと、
前記画像データをモノクロのグレー階調画像に変換するステップと、
前記グレー階調画像から、１つの第１のハーフトーン領域と、前記第１のハーフトーン領域に隣接し、第１及び第２の領域を有する第２のハーフトーン領域とが複数組配置された網点画像の生成を行うステップと、
前記網点画像のうち、第１のハーフトーン領域における網点の消去を行い、第２のハーフトーン領域のみの網点画像データを生成するステップと、
前記網点画像データを用いて、前記第２のハーフトーン領域における階調表現を行うための前記第１の領域を、第１の赤外線反射率を有する所定色のインキを用いて着色するための画像画像データ処理を行い、前記第２の領域を、前記第１の赤外線反射率より高い第２の赤外線反射率を有する前記所定色と同色系のインキを用いて着色するための画像データ処理を行うステップと、
前記着色するための画像データ処理を行って得られた前記網点画像データを出力するステップと、
を備えることを特徴とする網点画像データの作成方法。
【請求項２】
前記着色するための画像データ処理を行うステップでは、前記第２のハーフトーン領域における前記第１の領域には赤外線吸収性を有するブラックインキを使用するための画像データ処理を行い、前記第２の領域には赤外線吸収性を有しないシアン、マゼンタ、イエローの３原色インキを含む黒色系インキを使用するための画像データ処理を行うことを特徴とする請求項１記載の網点画像データの作成方法。
【請求項３】
前記網点画像の生成を行うステップでは、前記第１のハーフトーン領域の面積が、前記第２のハーフトーン領域より大きくなるように設定することを特徴とする請求項１又は２記載の網点画像データの作成方法。
【請求項４】
網点画像データを作成する方法をコンピュータに実行させるためのプログラムにおいて、
網点印刷物の作成に用いる画像データを入力するステップと、
前記画像データをモノクロのグレー階調画像に変換するステップと、
前記グレー階調画像から、１つの第１のハーフトーン領域と、前記第１のハーフトーン領域に隣接し、第１及び第２の領域を有する第２のハーフトーン領域とが複数組配置された網点画像の生成を行うステップと、
前記網点画像のうち、第１のハーフトーン領域における網点の消去を行い、第２のハーフトーン領域のみの網点画像データを生成するステップと、
前記網点画像データを用いて、前記第２のハーフトーン領域における、階調表現を行うための前記第１の領域を、第１の赤外線反射率を有する所定色のインキを用いて着色するための画像データ処理を行い、前記第２の領域を、前記第１の赤外線反射率より高い第２の赤外線反射率を有する前記所定色と同色系のインキを用いて着色するための画像データ処理を行うステップと、
を備えることを特徴とする網点画像データの作成用プログラム。
【請求項５】
前記着色するための画像データ処理を行うステップでは、前記第２のハーフトーン領域における前記第１の領域には赤外線吸収性を有するブラックインキを使用するための画像データ処理を行い、前記第２の領域には赤外線吸収性を有しないシアン、マゼンタ、イエローの３原色インキを含む黒色系インキを使用するための画像データ処理を行うことを特徴とする請求項４記載の網点画像データの作成用プログラム。
【請求項６】
前記網点画像の生成を行うステップでは、前記第１のハーフトーン領域の面積が、前記第２のハーフトーン領域より大きくなるように設定することを特徴とする請求項４又は５記載の網点画像データの作成用プログラム。
【請求項７】
網点画像データの真偽判別を行う認証方法をコンピュータに実行させるためのプログラムにおいて、
印刷物の画像データを入力するステップと、
前記画像データを用いて、前記印刷物に含まれている赤外線吸収性を有する所定色のインキが印刷された成分を抽出するステップと、
前記抽出された成分を示すデータと、真正な網点印刷物に含まれる、赤外線吸収性を有する前記所定色のインキが印刷された成分に関するデータとを比較することで、前記印刷物の真偽判別を行うステップと、
を備えることを特徴とする網点画像データの認証用プログラム。
【請求項８】
網点印刷物の真偽判別を行うための認証システムにおいて、
真偽判別を行うべき印刷物から、所定の赤外線反射率を有する所定色のインキが印刷された成分を抽出し、この成分に関する画像データを取得する赤外線画像読み取り装置と、
前記画像データを、ネットワークを介して第２の端末に送信する第１の端末と、
送信された前記画像データを与えられる前記第２の端末であって、
真正な網点印刷物に含まれる、前記所定の赤外線反射率を有する前記所定色のインキが印刷された成分に関するデータを予め格納する記憶部と、
前記画像データと、前記記憶部に格納された前記データと比較することで、前記印刷物の真偽判別を行う演算部と、
前記真偽判別の結果を前記第１の端末に出力する出力部とを有する、前記第２の端末と、
を備えることを特徴とする網点印刷物の認証システム。
【請求項９】
網点画像データの真偽判別を行うための認証システムにおいて、
真偽判別を行うべき印刷物の画像データを、ネットワークを介して第２の端末に送信する第１の端末と、
送信された前記画像データを与えられる前記第２の端末であって、
真正な網点印刷物に含まれる、所定の赤外線反射率を有する所定色のインキが印刷された成分に関するデータを予め格納する記憶部と、
前記画像データを用いて、前記印刷物に含まれている前記所定の赤外線反射率を有する前記所定色のインキが印刷された成分を抽出し、前記記憶部に格納された前記データと比較することで、前記印刷物の真偽判別を行う演算部と、
前記真偽判別の結果を前記第１の端末に出力する出力部とを有する、前記第２の端末と、
を備えることを特徴とする網点画像データの認証システム。
【発明の詳細な説明】
【技術分野】
【０００１】
本発明は、証明書等に好適な、網点画像データ又は網点印刷物の作成方法、作成装置、作成システム及び作成用プログラム、並びにその認証方法、認証装置、認証システム及び認証用プログラムに関する。
【背景技術】
【０００２】
近年、カラー複写機の高画質化やカラー製版技術のコンピュータ化に伴い、紙幣や有価証券類の偽造技術が多様化する傾向にある。特に、印刷産業分野で使用される画像入出力機器の解像度が著しく向上し、各種証明書類に使用されている細線や微小文字の抽出が容易になってきた。このことは、単に４色の網点構成からなる一般商業印刷法による偽造だけではなく、証明書類に用いらている地紋、彩紋、レリーフ模様等白黒２値で構成されたものが、スキャナ等の入出力機器により高精度に抽出でき、特色版を多用したより本格的な偽造書類が増えてきた。
【０００３】
本出願人が出願した特許文献１では、連続階調画像に偽造防止策を付与することを目的に、２種類の網点画像を同一平面上に均等配置することによって、可視、不可視画像を生成する画像マスク処理法を開示している。この方法によれば、いずれの種類の機能性インキを用いるにしても、潜像を印刷するために使用した機能性インキの光学的特性に応じた所定の視認条件のもとで潜像を視認することができる。
【０００４】
しかしながら、こうした偽造防止策は、高額な機能性材料が必要なため、生産コスト面において、経済性に見合う製品にしか付与することができなかった。
【０００５】
【特許文献１】特開2001-205917号公報
【発明の開示】
【発明が解決しようとする課題】
【０００６】
上述のように、従来は低コストで十分な偽造、改ざん防止が可能な印刷物を容易に作成し、またその真偽判別を行うことができなかった。
【０００７】
本発明は上記事情に鑑み、証明書類に好適な、低コストでかつ偽造、改ざん防止効果が高く、かつ容易に真偽判別が可能な網点画像データ又は網点印刷物の作成方法、作成装置、作成システム及び作成用プログラム、並びにその認証方法、認証装置、認証システム及び認証用プログラムを提供することを目的とする。
【課題を解決するための手段】
【０００８】
本発明の網点画像データを作成する方法は、
網点印刷物の作成に用いる画像データを入力するステップと、
前記画像データをモノクロのグレー階調画像に変換するステップと、
前記グレー階調画像から、１つの第１のハーフトーン領域と、前記第１のハーフトーン領域に隣接し、第１及び第２の領域を有する第２のハーフトーン領域とが複数組配置された網点画像の生成を行うステップと、
前記網点画像のうち、第１のハーフトーン領域における網点の消去を行い、第２のハーフトーン領域のみの網点画像データを生成するステップと、
前記網点画像データを用いて、前記第２のハーフトーン領域における階調表現を行うための前記第１の領域を、第１の赤外線反射率を有する所定色のインキを用いて着色するための画像データ処理を行い、前記第２の領域を、前記第１の赤外線反射率より高い第２の赤外線反射率を有する前記所定色と同色系のインキを用いて着色するための画像データ処理を行うステップと、
前記着色するための画像データ処理を行って得られた前記網点画像データを出力するステップと、を備えることを特徴とする。
【０００９】
前記網点画像データは、印刷機を用いて印刷処理を行い、網点印刷物を生成することを特徴とする。
【００１０】
前記着色するための画像データ処理を行うステップでは、前記第２のハーフトーン領域における前記第１の領域には赤外線吸収性を有するブラックインキを使用するための画像データ処理を行い、前記第２の領域には赤外線吸収性を有しないシアン、マゼンタ、イエローの３原色インキを含む黒色系インキを使用するための画像データ処理してもよい。
【００１１】
前記網点画像の生成を行うステップでは、前記第１のハーフトーン領域の面積が、前記第２のハーフトーン領域より大きくなるように設定することが望ましい。
【００１２】
本発明の網点画像データを作成する方法をコンピュータに実行させるためのプログラムは、
網点印刷物の作成に用いる画像データを入力するステップと、
前記画像データをモノクロのグレー階調画像に変換するステップと、
前記グレー階調画像から、１つの第１のハーフトーン領域と、前記第１のハーフトーン領域に隣接し、第１及び第２の領域を有する第２のハーフトーン領域とが複数組配置された網点画像の生成を行うステップと、
前記網点画像のうち、第１のハーフトーン領域における網点の消去を行い、第２のハーフトーン領域のみの網点画像データを生成するステップと、
前記網点画像データを用いて、前記第２のハーフトーン領域における、階調表現を行うための前記第１の領域を、第１の赤外線反射率を有する所定色のインキを用いて着色し、前記第２の領域を、前記第１の赤外線反射率より高い第２の赤外線反射率を有する前記所定色と同色系のインキを用いて着色するための画像データ処理を行うステップと、
前記着色するための画像データ処理を行って得られた前記網点画像データを出力するステップと、を備えることを特徴とする。
【００１３】
本発明の網点画像データの真偽判別を行う認証方法をコンピュータに実行させるためのプログラムは、
印刷物の画像データを入力するステップと、
前記画像データを用いて、前記印刷物に含まれている赤外線吸収性を有する所定色のインキが印刷された成分を抽出するステップと、
前記抽出された成分を示すデータと、真正な網点印刷物に含まれる、赤外線吸収性を有する前記所定色のインキが印刷された成分に関するデータとを比較することで、前記印刷物の真偽判別を行うステップと、
を備えることを特徴とする。
【００１４】
本発明の網点印刷物の真偽判別を行うための認証システムは、
真偽判別を行うべき印刷物から、所定の赤外線反射率を有する所定色のインキが印刷された成分を抽出し、この成分に関する画像データを取得する赤外線画像読み取り装置と、
前記画像データを、ネットワークを介して第２の端末に送信する第１の端末と、
送信された前記画像データを与えられる前記第２の端末であって、
真正な網点印刷物に含まれる、前記所定の赤外線反射率を有する前記所定色のインキが印刷された成分に関するデータを予め格納する記憶部と、
前記画像データと、前記記憶部に格納された前記データと比較することで、前記印刷物の真偽判別を行う演算部と、
前記真偽判別の結果を前記第１の端末に出力する出力部とを有する、前記第２の端末と、
を備えることを特徴とする。
【００１５】
本発明の網点画像データの真偽判別を行うための認証システムは、
真偽判別を行うべき印刷物の画像データを、ネットワークを介して第２の端末に送信する第１の端末と、
送信された前記画像データを与えられる前記第２の端末であって、
真正な網点印刷物に含まれる、所定の赤外線反射率を有する所定色のインキが印刷された成分に関するデータを予め格納する記憶部と、
前記画像データを用いて、前記印刷物に含まれている前記所定の赤外線反射率を有する前記所定色のインキが印刷された成分を抽出し、前記記憶部に格納された前記データと比較することで、前記印刷物の真偽判別を行う演算部と、
前記真偽判別の結果を前記第１の端末に出力する出力部とを有する、前記第２の端末と、
を備えることを特徴とする。
【発明の効果】
【００１６】
以上説明したように、本発明の網点画像データ又は網点印刷物の作成方法、作成装置、作成システム及び作成用プログラム、並びにその認証方法、認証装置、認証システム及び認証用プログラムによれば、通常の可視光下において肉眼で同色系に見えるが赤外線を照射した環境下では異なったものとして識別される二組のカラーインキを組み合わせて用いることで、偽造、改ざん防止効果の高い網点印刷物を容易かつ低コストで作成し、さらに容易かつ高精度で真偽判別を行うことができる。
【発明を実施するための最良の形態】
【００１７】
以下、本発明の実施の形態について図面を参照して説明する。
（１）実施の形態１による網点印刷物
印刷産業分野では、印刷用紙に白黒２値に加え、中間調、すなわち、連続階調画像を表現するために網点を必要とする。これは、人間が視覚によって濃淡を識別する際に、細かい点の集合体を一つの階調として認識する性質に基づいている。
【００１８】
連続階調画像を網点を用いて濃淡を表現化（ハーフトーン化）する技術は、これまでは大手製版メーカに主導されてきたために、ユーザが自由に網点印刷物を作成することは極めて困難であった。ところが、昨今の製版印刷業界においては、コンピュータページ記述言語の一つであるポストスクリプト（登録商標名）言語が開発され、このポストスクリプト言語をベースとした市販のアプリケーションソフトが普及したことにより、網点印刷物を作成することができるようになってきた。
しかし、市販されているソフトウェアを用いるだけでは、上述したように低コストで十分な偽造防止効果を有する網点印刷物を容易に作成することができなかった。
そこで本実施の形態では、特殊なインキを用いることなく、一般の商業印刷において幅広く使用されているシアン（Ｃ）、マゼンタ（Ｍ）、イエロー（Ｙ）、ブラック（Ｂｋ）の基本４色インキを使用し、かつ通常の可視光下では肉眼で同色に見えるが赤外線（例えば、波長８５０ｎｍ）に対して異なる特性を有するインキの組み合わせに着目し、これを用いることとしている。
【００１９】
一般の商業印刷で使用されているシアン（Ｃ）、マゼンタ（Ｍ）、イエロー（Ｙ）、ブラック（Ｂｋ）の基本４色インキのうち、ブラック（Ｂｋ）は、カーボンブラックを主体とした黒色顔料を含み、紫外線領域から赤外線領域までの全域に渡って吸収特性を有する。
【００２０】
一方、一般市場で取引されているブラックインキには、たとえば大日精化工業株式会社製のクロモファインブラックインキのように、赤外線を吸収しないという特異な性質を活かしたセキュリティ記録材料も存在する。しかしこのような特殊なブラックインキを用いなくとも、基本４色インキのうちのシアン（Ｃ）、マゼンタ（Ｍ）、イエロー（Ｙ）を重ね合わせたものが赤外線を吸収しないという特性を有することから、ブラック（Ｂｋ）と同色系でありながら赤外線を吸収しないブラックインキを安価に得ることが可能である。
これにより、図１に示されたように、基本４色インキのうちのブラック（Ｂｋ）と、シアン（Ｃ）、マゼンタ（Ｍ）、イエロー（Ｙ）を重ね合わせたものとは、共に通常の可視光下では肉眼で同色系として認識されるにも拘わらず、赤外線に対してブラック（Ｂｋ）は吸収（反射率；小）、シアン（Ｃ）、マゼンタ（Ｍ）、イエロー（Ｙ）を重ね合わせたものは反射（反射率；大）という異なった特性を有することになる。
【００２１】
このような特性を利用することにより、赤外線カメラ等の赤外線を用いる鑑定装置を用いて観察した場合に、カーボンブラック含有のブラック（Ｂｋ）インキで印刷された画像のみを視認し、シアン（Ｃ）、マゼンタ（Ｍ）、イエロー（Ｙ）インキを重ね合わせて印刷された画像は視認されないという効果を奏することができる。
【００２２】
以上の現象を利用した本実施の形態１による網点印刷物の具体的な実施例について、以下に述べる。
（１ａ）実施例１による網点印刷物
実施例１による印刷物は、網点を用いて画像が階調表現された領域（以下、ハーフトーン領域という）として、図２（ａ）に示されたように、第１のハーフトーン領域ＨＴ１と、第２のハーフトーン領域ＨＴ２とを有する。第１のハーフトーン領域ＨＴ１と第２のハーフトーン領域ＨＴ２とは、それぞれ１つずつが隣接するように配置されて１組をなし、全体で複数組配置されている。第１のハーフトーン領域ＨＴ１と第２のハーフトーン領域ＨＴ２とは、その大きさに限定はないが、より通常の可視光下において肉眼で第１のハーフトーン領域ＨＴ１が与える影響が相対的に大きくなるように、第１のハーフトーン領域ＨＴ１の方が大きい方が望ましい。ここで、第１のハーフトーン領域ＨＴ１は例えばｍ×ｍ（ｍは１以上の正数）ピクセルを有し、第２のハーフトーン領域ＨＴ２はｎ×ｎ（ｎは１以上の正数）ピクセルを有する。
【００２３】
第１のハーフトーン領域ＨＴ１には円形ドット１が配置され、第２のハーフトーン領域ＨＴ２には円形ドット３とその周囲の網点２とが配置されている。第１のハーフトーン領域ＨＴ１の円形ドット１は、図２（ｂ）に示された網点画像Ｐ１を構成するように配置され、第２のハーフトーン領域ＨＴ２の円形ドット３は、図２（ｃ）に示された網点画像Ｐ２を構成するように配置されている。
円形ドット１は、赤外線吸収性色素を含まないシアン（Ｃ）、マゼンタ（Ｍ）、イエロー（Ｙ）の３色のカラーインキを用いて印刷し、円形ドット３は、赤外線吸収性色素（例えば、カーボンブラック）を含むブラック（Ｂｋ）インキ１色で印刷する。さらに、第２のハーフトーン領域ＨＴ２における網点２は、赤外線吸収性色素を含まないシアン（Ｃ）、マゼンタ（Ｍ）、イエロー（Ｙ）の３色重ね刷り（３色ベタ）で印刷する。
第１、第２のハーフトーン領域ＨＴ１、ＨＴ２では、網点形状として円形ドットをそれぞれ用いているが、円形に限定されるものではなく、三角、四角、多角形等の形状、あるいはランダムな形状、あるいはまた、本出願人が先に出願した特開平11-268228号公報で提案している自由度のある網点形状を用いてもよい。
【００２４】
このような第１、第２のハーフトーン領域ＨＴ１、ＨＴ２を組み合わせたことで、次のような視覚効果が得られる。
先ず、第２のハーフトーン領域ＨＴ２は、円形ドット３及びその周囲の網点２とが、共に通常の可視光下では肉眼で黒色に視認される。よって、第２のハーフトーン領域ＨＴ２全体が均一に黒色でベタ塗りされているようにとらえられる。
そして、印刷物全体を通常の可視光下で肉眼で観察すると、第１のハーフトーン領域ＨＴ１が観察者に与える影響が大きく、フルカラー画像に見える。よって、第２のハーフトーン領域ＨＴ２における円形ドット３で構成された階調画像は、視認されない。
しかし、例えば赤外カメラを用いて撮影するなど、赤外線を照射した環境下では、第２のハーフトーン領域における円形ドット３とその周囲の網点２とが、異なったものとして区別して視認される。即ち、赤外線を吸収する円形ドット３のみが視認され、赤外線を反射するその周囲の網点２は視認されなくなり、円形ドット３が構成する階調画像が視認されることとなる。
このように、第２のハーフトーン領域ＨＴ２における円形ドット３が構成する階調画像が存在するか否かを判断することで、真正な印刷物かどうか容易に判別することができる。
【００２５】
図３（ａ）に、第１のハーフトーン領域ＨＴ１における円形ドット１が構成する網点画像Ｐ１を、図３（ｂ）にその部分拡大図ｄ１を示す。さらに、図３（ｃ）に、第２のハーフトーン領域ＨＴ２における円形ドット３が構成する網点画像Ｐ２を、図３（ｄ）にその部分拡大図ｄ２を示す。さらに図３（ｅ）に、本出願人が先に出願した特開2001-205917号公報で提案した、２種類の網点画像を同一平面上に均等配置する画像データ処理法により生成された画像マスクの部分拡大図ｍを示す。この部分拡大図ｍは、シアン（Ｃ）、マゼンタ（Ｍ）、イエロー（Ｙ）、ブラック（Ｂｋ）で構成された網点画像のうちのシアン（Ｃ）のみの版から成る網点画像を示す。
【００２６】
網点画像Ｐ１の部分拡大図ｄ１と、画像マスクの部分拡大図ｍとの画像演算により、図４（ａ）に示された、通常の可視光下において肉眼で視認される網点画像ｄ１´が生成され、網点画像Ｐ２の部分拡大図ｄ２と画像マスクの部分拡大図ｍとの画像演算により、図４（ｂ）に示された、通常の可視光下において肉眼で視認されない網点画像ｄ２´が生成される。
さらに、網点画像ｄ２´と画像マスクの部分拡大図ｍとの画像演算により、図４（ｃ）に示された、網点画像ｄ２´の周囲をシアン（Ｃ）、マゼンタ（Ｍ）、イエロー（Ｙ）インキ３色ベタの掛け合わせを施すための網点画像ｄ３が生成される。
本実施例１で使用することができるインキは、シアン（Ｃ）、マゼンタ（Ｍ）、イエロー（Ｙ）に限定されるものではなく、補色関係にある２色とこれらと等色関係にあり赤外線吸収性色素を含むブラック（Ｂｋ）インキの３色の組み合わせを用いることもできる。
この場合には、図１に示された第１のハーフトーン領域ＨＴ１の円形ドット１を、赤外線吸収性色素を含まない補色関係にある２色のダブルトーンで印刷し、第２のハーフトーン領域ＨＴ２の円形ドット３を、補色関係にある２色と等色関係にあり、赤外線吸収性色素を含むブラック（Ｂｋ）インキ１色で印刷し、その周囲の網点２を、第１のハーフトーン領域ＨＴ１と同色系インキでかつ赤外線吸収性色素を含まない補色関係にある２色ベタで印刷する。
【００２７】
以上の本実施例１により得られる印刷物は、通常の可視光下において肉眼で山の風景画Ｐ１が認識され、川の風景画Ｐ２が隠蔽されていることを認識するのが困難な印刷物を得ることができ、図４（ｄ）に示された部分拡大図Ｐ３のような構成として視認されることとなる。この印刷物を赤外写真で観察すると、潜像として川の風景画Ｐ２の階調画像を認識することができる。
このように、通常の可視光下において肉眼で視認されなかった潜像としての階調画像が赤外写真により確認されるかどうかを調べることにより、容易に真偽判別が可能である。本実施例１によれば、偽造、改ざん防止効果が高く、真偽判別が容易な網点印刷物を、通常の基本４色インキを用いて低コストで作成することができる。
【００２８】
（１ｂ）実施例２
本実施の形態１による網点印刷物を、身分証明書に適用した場合について実施例２として説明する。図５に示された身分証明書のａ部は、通常の手法を用いて網点画像をシアン（Ｃ）、マゼンタ（Ｍ）、イエロー（Ｙ）の各インキを用いて印刷配置し、ｂ部は上記実施例１と同様な手法を用いて網点画像を構成し印刷配置したものである。
ここで、ｂ部における第１のハーフトーン領域ＨＴ１には、通常の可視光下において肉眼で視認し得る画像を配置せず、第２のハーフトーン領域ＨＴ２には、通常の可視光下において肉眼で視認できない画像を配置している。この第２のハーフトーン領域ＨＴ２において、円形ドット３を赤外線吸収性色素が含まれているブラック（ｂｋ）インキ１色を用いて印刷し、その周囲の網点２を赤外線吸収性色素が含まていないシアン（Ｃ）、マゼンタ（Ｍ）、イエロー（Ｙ）の３色ベタで印刷している。これにより、第２のハーフトーン領域ＨＴ２が、通常の可視光下では肉眼で同じ黒色系の等色ベタで配置された状態となる。
【００２９】
図６に、図５のｂ部における第２のハーフトーン領域ＨＴ２の各色版の網点配置状態を示す。これらを重ね合わせた場合、黒色系の均一な平網状態となり、通常の可視光下では肉眼で画像Ｐ５を認識することができない。
上記実施例１において説明したように、赤外吸収特性を有するブラック（ｂｋ）インキで印刷された部分ｄ４と、赤外線を反射する特性を有するシアン（Ｃ）、マゼンタ（Ｍ）、イエロー（Ｙ）の３色インキが重ね合わされて印刷された部分ｄ５との赤外線に対する特性の相違を利用して、通常の可視光下では肉眼で視認できない画像をブラック（ｂｋ）インキで印刷する。これにより、赤外線カメラ等の特殊な鑑定装置等を用いないかぎり、図５におけるｂ部で構成された画像Ｐ５を認識することができず、偽造、改ざん防止効果の高い印刷物を低コストで得ることができる。
【００３０】
（１ｃ）実施例３
本発明の実施例３として、上記実施例１による手法を身分証明書のオンデマンド印刷に適用した例について説明する。
「オンデマンド印刷」と呼ばれるものは多様な解釈があって、ショートランカラー印刷を指している場合や、製本まで一貫処理して冊子をジャストインタイムで提供をするものを指す場合等がある。このようなオンデマンド印刷の特性を最も有効に活用したものとして、ページバリアブル印刷がある。
ページバリアブル印刷とは、個々に異なる内容（情報）すなわち「可変データ」を印刷することを意味し、個人や企業に特化した文字や画像情報等を紙メディアを介して迅速、的確に提供するために用いられる。
【００３１】
上記実施例１における、通常の可視光下において肉眼で視認できない画像を図７の各個人の顔画像ｃと同一平面上に均等配置する。このような４面版構成の身分証明書Ｐ６−１〜Ｐ６−４を、オンデマンド印刷機を用いて可変印刷する。各個人名も同時に可変印刷されているが、本実施例３ではこの情報は通常の印刷手法を用いて、通常の可視光下において肉眼で視認される情報として印刷されている。
この印刷物を赤外線カメラで観察すると、図８のｃに示されるように、通常の可視光下において肉眼で視認されない画像Ｐ６−１〜Ｐ６−４が視認されることになり、偽造、改ざんが困難な身分証明書としての効果が得られる。
【００３２】
（１ｄ）実施例４
本発明の実施例４として、上記実施例２による手法を身分証明書のオンデマンド印刷に適用した場合について述べる。
図９に示されたｄ部は、通常手法を用いて、網点画像を赤外線吸収性を有しないシアン（Ｃ）、マゼンタ（Ｍ）、イエロー（Ｙ）、ブラック（Ｂｋ）インキを用いて印刷配置する。図９におけるｅ部は、本実施の形態１による網点構成を用いて、ポストスクリプト網点発生法に準じた手法を用いてハーフトーン処理を行い印刷配置する。このｅ部は、上記実施例２において説明したように同色系の黒色で均一な平網状態となり、通常の可視光下において肉眼で視認することができない。
【００３３】
このような身分証明書Ｐ７−１〜Ｐ７−４を、オンデマンド印刷機を用いて４面版構成で可変印刷する。各個人名も同時に可変印刷されているが、本実施例４では上記実施例３と異なり、上記実施例２における網点構成を用いることで通常の可視光下において肉眼で視認されない情報として付与されている。
このような身分証明書Ｐ７−１〜Ｐ７−４を赤外線モニタで観察すると、図１０に示されたような通常の可視光下において肉眼で視認されないｅ部が視認され、真正な身分証明書であるか否か、真偽判別を容易に行うことができる。
尚、上記実施例２〜４において示した個人の氏名や会社名等の情報を、通常の可視光下において肉眼で視認される情報とするか、あるいは赤外線を照射することで視認可能な情報とするかを必要に応じて選択することにより、デザイン上の自由度を拡げることができる。
【００３４】
上記実施例１〜４によれば、一般の製版用機器では複製が困難であり、かつ赤外線を用いた機器を用いて読み取ることが可能な網点により構成された連続階調画像を印刷することで、偽造、改ざん防止が可能な網点印刷物を容易に得ることができる。また、所定領域に１つの連続階調画像を印刷することができるとともに、所定領域に２つの連続階調画像を互いに重なり合うことなく、且つ、２つの連続階調画像を網点の融合を生じることなく同等に配置することができるので、デザイン上の高い自由度を得ることができる。
また、一般市場で広く用いられているシアン（Ｃ）、マゼンタ（Ｍ）、イエロー（Ｙ）、ブラック（ｂｋ）の基本４色インキを用いることで、安価に印刷することができる。
さらに、オンデマンド印刷に適用した場合、身分証明書のような個々に情報が異なり、かつ偽造防止及び改ざん防止が必要とされる印刷物に対し、文字、記号、模様、濃淡画像等の個別情報を通常の可視光下において肉眼で視認されない情報として容易に印刷することができる。
【００３５】
（２）実施の形態２による網点画像データ又は網点印刷物の作成システム並びにその認証システム
上記実施の形態１による網点印刷物又は網点画像データを作成するためのシステム、並びに真偽判別を行うための認証システムについて、図１１を参照して説明する。ここで、行政局２０、印刷局３０及び行政局４０は、それぞれネットワークを介して接続された端末を備えている。
本システムは、個人１０が、例えば税務署に税金の支払証明書の発行を申請する場合のように、行政局２０に証明書の発行を申請し、得られた証明書を他の行政局４０に提出する場合に好適なものである。
個人１０が行政局２０の窓口において、あるいは個人１０がパーソナルコンピュータを用いてインターネット等のネットワークを経由して、証明書の発行を申請する。
【００３６】
申請の際には、個人１０は自己の写真等、真偽判別に用いる画像情報を提供する。窓口で申請する場合はその場で写真撮影を行い、あるいは持参した写真から画像データを作成する。ネットワークを経由する電子申請の場合は、画像情報を送信する。
行政局２０は取得した画像データを印刷局３０に対して原画として送信すると共に、証明書の作成を依頼する。
印刷局３０は、送信されてきた画像データを用いて、上記実施の形態１による網点印刷物を作成するための網点画像データを作成し、この網点画像データを用いて証明書を作成する。そして、印刷局３０が行政局２０に証明書の画像データを送信し、あるいは印刷媒体に印刷出力した証明書を発送する。さらに、作成した網点画像データを、認証用に用いるため認証サーバ等に格納しておく。
【００３７】
行政局２０は、窓口申請に対しては個人１０に印刷局３０印刷媒体に印刷出力した証明書又は、行政局２０が受信した証明書の画像データをプリンタにより出力した証明書を発行する。ネットワークを経由した電子申請に対しては、証明書の画像データを送信する。
証明書の発行を受けた個人１０は、証明書の提出を要求する他の行政局４０に対し、窓口にて証明書を提出し、あるいはネットワークを経由して証明書の画像データを送信する。
行政局４０は、証明書をスキャナで読み取って画像データを作成して送信し、あるいは送信されてきた画像データを印刷局３０に送信し、証明書の認証を依頼する。
【００３８】
印刷局３０は、送られてきた画像データに含まれる顔写真等の真偽判別に必要な成分を抽出し、認証サーバ等に格納していた真正なデータと比較照合する。両者が一致した場合は、当該証明書は真正なものと判断し、一致しない場合は申請でないと判断して判断結果を行政局４０に送信する。行政局４０は、真正であるという判断が送られてきた場合は当該証明書を受理し、真正でないという判断が送られてきた場合は当該証明書を不受理とする。
本システムによれば、上記実施の形態１による網点印刷物を証明書に適用することで、偽造改ざん防止効果の高い証明書を容易且つ低コストで発行できると共に、その真偽判別を容易にかつ高精度に行うことができる。
【００３９】
（３）実施の形態３による網点画像データ又は網点印刷物の作成装置
上記実施の形態２による網点画像データ又は網点印刷物の作成システムにおいて、印刷局３０が網点画像データ又は網点印刷物を作成する際に用いる装置について説明する。
図１２に示されるように、本作成装置は入力部１００、演算部１１０、記憶部１２０、出力部１３０さらに必要に応じて印刷部１４０を備えている。
入力部１００は、申請者の顔写真等を含む原画に相当する画像データを入力する。
演算部１１０は、画像データに対して必要な画像データ処理を行い、網点印刷物の画像データを生成する。さらにこの網点印刷物の画像データを用いて、証明書の作成に必要な画像データを作成する。
【００４０】
記憶部１２０は、入力された画像データや、演算部１１０が処理を行う上で必要なデータ、また生成された網点印刷物の画像データ、証明書の画像データ等を記憶する。
出力部１３０は、網点印刷物の画像データ、あるいは証明書の画像データを出力する。
印刷部１４０は、画像データを用いて印刷処理を行い、網点印刷物を生成する。
【００４１】
（４）実施の形態４による網点画像データ又は網点印刷物の作成方法、網点画像データの作成用プログラム
上記実施の形態２による網点画像データ又は網点印刷物の作成システムにおいて、印刷局３０が上記実施の形態３による作成装置を用いて網点画像データ又は網点印刷物を作成する手順、またコンピュータを網点画像データの作成装置として動作させるためのプログラムについて、フローチャートを示した図１３を用いて説明する。
ステップＳ１０として、原画の画像データを入力部１００が入力する。このデータは記憶部１２０に格納される。
ステップＳ２０〜Ｓ８０として、演算部１１０が網点画像データの生成を行う。
先ずステップＳ２０として、原画の画像データをモノクロのグレー階調画像に変換する。カラー画像データからモノクロのグレー階調画像への変換には、市販されているソフトウェアを用いて行うことができる。
【００４２】
ステップＳ３０として、必要に応じて所定の画像データ処理を行う。例えば、所望の解像度への変更、所望の画像サイズへの変更処理等が含まれる。しかし、必ずしもこのような画像データ処理を行う必要はない。
ステップＳ４０として、グレー階調画像から網点画像の生成を行う。この網点画像データへの変換には、市販されているソフトウェアを用いることができる。例えば、アドビ社のポストスクリプト（登録商標）においてハーフトーンタイプ１６と称されている網点コードの付与を行って網点画像の生成を行う。
得られた網点画像は、上記実施の形態１による網点印刷物と同様に、例えば図１４に示されるように、網点によって画像が階調表現された第１のハーフトーン領域ＨＴ１ａ及び第２のハーフトーン領域ＨＴ２ａとを備えている。
【００４３】
第１のハーフトーン領域ＨＴ１ａと第２のハーフトーン領域ＨＴ２ａとは、それぞれ１つずつで１組を構成し、相互に隣接するように配置されており、全体で複数組隙間なく配置されている。第１のハーフトーン領域ＨＴ１ａと第２のハーフトーン領域ＨＴ２ａとは、より通常の可視光下において肉眼で第１のハーフトーン領域ＨＴ１ａが与える影響が相対的に大きくなるように、第１のハーフトーン領域ＨＴ１ａの方が大きく設定されている。ここでは、第１のハーフトーン領域ＨＴ１ａは例えば８０×４０ピクセルを有し、第２のハーフトーン領域ＨＴ２ａは４０×２０ピクセルを有する。
【００４４】
第１のハーフトーン領域ＨＴ１ａにおいて、階調度に応じてその中心位置Ｃ１ａから上下左右に順次ドットが拡がるように配置される。第２のハーフトーン領域ＨＴ２ａにおいても同様に、階調度に応じてその中心位置Ｃ２ａから上下左右にドットが徐々に拡がるように配置される。
ここで、第１、第２のハーフトーン領域の寸法や位置関係は図１４に限定されず、例えば図１５に示されるように、正方形の第１のハーフトーン領域ＨＴ１ｂ及び第２のハーフトーン領域ＨＴ２ｂとを配置してもよい。この場合の第１のハーフトーン領域ＨＴ１ｂは例えば８０×８０ピクセルを有し、第２のハーフトーン領域ＨＴ２ｂは４０×４０ピクセルを有する。
そして同様に、第１のハーフトーン領域ＨＴ１ｂにおいて、階調度に応じてその中心位置Ｃ１ｂから上下左右に順次ドットが拡がるように配置される。また第２のハーフトーン領域ＨＴ２ｂにおいて、階調度に応じてその中心位置Ｃ２ｂから上下左右にドットが徐々に拡がるように配置される。
【００４５】
第１、第２のハーフトーン領域が隙間なく配置され得るものであれば、図１４、図１５に示されたような長方形、正方形に限らず、三角形、５角形以上の多角形、あるいは曲線形状を有する二つの領域で構成されていてもよい。
ステップＳ５０として、網点画像のうち、第１のハーフトーン領域ＨＴ１における網点の消去を行う。具体的には、第２のハーフトーン領域ＨＴ２を覆うマスクを使用し、マスクで覆われていない第１のハーフトーン領域ＨＴ１の網点を除去する。
得られた第２のハーフトーン領域ＨＴ２のみの網点画像データをステップＳ６０で認証サーバ等の記憶部１２０に保存し、ステップＳ７０において、第２のハーフトーン領域ＨＴ２におけるドットとその周囲とに対して着色するための画像データ処理を行う。なお、この着色するための画像データ処理とは、印刷機で着色する指令をコンピュータにより行うことである。以下、着色するための画像処理についても同様とする。
【００４６】
具体的には、上記実施の形態１において述べたように、第２のハーフトーン領域ＨＴ２ａにおけるドットを、赤外線吸収性を有するブラック（Ｂｋ）インキを用いて着色するための画像データ処理を行う。第２のハーフトーン領域ＨＴ２ａにおけるドットの周囲を、赤外線吸収性を有しないシアン（Ｃ）、マゼンタ（Ｍ）、イエロー（Ｙ）の３色のカラーインキの重ね塗りでベタに着色するための画像データ処理を行う。
ステップＳ８０として、得られた網点画像データを出力部１３０が出力する。このとき、必要に応じて相手側（行政局２０）が要求するデータ形式に演算部１１０が変換した後、出力部１３０が網点画像データを出力する。
また必要に応じて、ステップＳ１００として、網点画像データを用いて印刷処理を行い網点印刷物を生成する。
【００４７】
（５）実施の形態５による網点画像データ又は網点印刷物の認証装置
上記実施の形態２による網点画像データ又は網点印刷物の認証システムにおいて、印刷局３０が証明書又は証明書の画像データの真偽判別を行うために用いる認証装置について説明する。
図１６に示されるように、本認証装置は入力部２００、演算部２１０、記憶部２２０、出力部２３０を備えている。
入力部２００は、個人１０が提出した証明書を、赤外線読み取り装置を用いて赤外線に対して所定の反射率を有する部分を読み取って作成した画像データ、あるいは個人１０から送信されてきた画像データを直接入力する。
【００４８】
演算部２１０は、得られた画像データに対して必要な画像データ処理を行い、真正な網点画像データと比較することで真偽判別を行う。例えば、画像データを直接入力したときは、赤外線に対して所定の反射率を有する成分を抽出する処理を行う。
【００４９】
記憶部１２０は、与えられた画像データや、演算部２１０が処理を行う上で必要なデータ、また認証サーバの記憶部として、真正な網点画像データを記憶する。
出力部１３０は、真偽判別結果の出力を行う。
【００５０】
（６）実施の形態６による網点画像データ又は網点印刷物の認証方法、並びに網点画像データの認証用プログラム
上記実施の形態２による網点画像データ又は網点印刷物の認証システムにおいて、印刷局３０が上記実施の形態５による認証装置を用いて証明書又は証明書の画像データの真偽判別を行う手順、またコンピュータを認証装置として動作させるためのプログラムについて、フローチャートを示した図１７を用いて説明する。
ステップＳ１００として、証明書を赤外線読み取り装置を用いて読み取ることで、画像データを入力部２００が取得する。あるいは、証明書の画像データを直接入力部２００が入力する。このデータは一旦記憶部２２０に格納される。
【００５１】
ステップＳ１１０として、上記第４の実施の形態において説明した第１のハーフトーン領域ＨＴ１が消去され、第２のハーフトーン領域ＨＴ２におけるドット、即ち赤外線を吸収するブラック（Ｂｋ）インキで着色された成分のみの画像データを抽出する。この処理は、画像データを直接入力した場合に必要な処理であり、赤外線読み取り装置を用いて読み取った場合には、同時に赤外線に対して所定の反射率を有する成分（ここではブラックインキで着色された成分）のみの画像データが抽出されることになる。
ステップＳ１２０として、抽出された画像データと、上記実施の形態４におけるステップＳ６０において述べた第２のハーフトーン領域ＨＴ２のみの真性な網点画像データとを比較し、当該印刷物の真偽判別を行う。
【００５２】
両者が一致した場合は、ステップＳ１３０として当該印刷物は真正なものと判断し、両者が一致しなかった場合は、ステップＳ１４０として当該印刷物は真正でないと判断し、判断結果を出力部２３０が出力する。
上記実施の形態２による網点画像データ又は網点印刷物の作成システム、認証システム、上記実施の形態３による作成装置、上記実施の形態４による作成方法及び作成用プログラム、また上記実施の形態５による認証装置、上記実施の形態６による認証方法及び認証用プログラムによれば、偽造、改ざん防止効果の高い網点印刷物を容易かつ低コストで作成し、さらにこのような印刷物を容易かつ高精度で真偽判別を行うことができる。
【００５３】
上述した実施の形態、実施例はいずれも一例であって、本発明を限定するものではない。例えば、上記実施の形態による網点印刷物では、赤外線を吸収するブラック（Ｂｋ）インキと、赤外線を吸収しないシアン（Ｃ）、マゼンタ（Ｍ）、イエロー（Ｙ）の３つのカラーインキの重ね塗りとの組み合わせを用いている。
しかし、黒色インキに限らず、通常の可視光下において肉眼で同色に視認される同色系であって、一方が赤外線を相対的により多く吸収し、他方がより少なく吸収する２種類のインキの組み合わせであれば、本発明の網点印刷物に用いることができる。
【００５４】
また、上記実施の形態、実施例ではいずれも、第２のハーフトーン領域ＨＴ２の円形ドット３はブラック（ｂｋ）インキ１色を用いて印刷し、その周囲の網点２はシアン（Ｃ）、マゼンタ（Ｍ）、イエロー（Ｙ）を用いて印刷している。
しかし、第２のハーフトーン領域ＨＴ２の円形ドット３、並びにその周囲の網点２に対して、シアン（Ｃ）、マゼンタ（Ｍ）、イエロー（Ｙ）、ブラック（ｂｋ）の４つのカラーインキを用いて印刷してもよい。この場合は、円形ドット３及びその周囲の網点２が共にある程度の赤外線に対して吸収性を有するようになるが、円形ドット３の方がその周囲の網点２より相対的に赤外線（例えば、波長８５０ｎｍ）反射率が低いようにインキの配合を設定する必要がある。
【００５５】
また、上記実施の形態、実施例ではいずれも、図１４、図１５を用いて説明したように、第２のハーフトーン領域ＨＴ２のドット３が領域の中心位置に設定されており、階調度に応じて円形に拡がるように構成されている。
しかし、図１８に示されているように、第１のハーフトーン領域ＨＴ１ｃにおいて、階調度に応じてドットが上下左右に順次拡がる中心位置Ｃ１ｃが、領域ＨＴ１ｃの中心に位置していなくともよい。第２のハーフトーン領域ＨＴ２ｃにおいても同様に、階調度に応じてドットが拡がる中心位置Ｃ２ｃが、領域ＨＴ２ｃの中心に位置していなくともよい。
【００５６】
同様に、図１９に示されるように、正方形の第１のハーフトーン領域ＨＴ１ｄ及び第２のハーフトーン領域ＨＴ２ｄにおいて、それぞれドットが拡がる中心位置Ｃ１ｄ、Ｃ２ｄが領域ＨＴ１ｄ、ＨＴ２ｄの中心に位置していなくともよい。
この場合も第１、第２のハーフトーン領域が隙間なく配置され得るものであれば、図１８、図１９に示されたような長方形、正方形に限らず、三角形、５角形以上の多角形、あるいは曲線形状を有する二つの領域で構成されていてもよい。
そして、図１９に示された場合を例にとると、図２０（ａ）〜（ｄ）に示されたように、階調度に応じて中心位置Ｃ１ｄ、Ｃ２ｄからドットが上下左右に順次拡がることになる。
【図面の簡単な説明】
【００５７】
【図１】本発明の実施の形態１による網点印刷物で用いられる基本４色インキの特性について示した説明図。
【図２】本発明の実施の形態１による実施例１の網点印刷物が備える第１のハーフトーン領域と第２のハーフトーン領域との配置、並びに第１、第２のハーフトーン領域がそれぞれ構成する網点画像を示した説明図。
【図３】同実施例１において、ポストスクリプト網点発生法に準じた方法を用いて、ハーフトーン処理を行って得られた画像を示した説明図。
【図４】同実施例１において、シアン（Ｃ）、マゼンタ（Ｍ）、イエロー（Ｙ）、ブラック（Ｂｋ）を用いてフルカラー画像を再現する網点画像のうち、シアン（Ｃ）の版における網点画像を示した説明図。
【図５】本発明の実施の形態１による網点印刷物を身分証明書に適用した実施例２を示した説明図。
【図６】同実施例２において、第２のハーフトーン領域における各色版の網点配置状態を示した説明図。
【図７】本発明の実施の形態１による網点印刷物を身分証明書に適用しオンデマンド印刷を行う実施例３において、通常の可視光下において肉眼で視認される画像を示した説明図。
【図８】同実施例３による印刷物を身分証明書に適用しオンデマンド印刷を行う場合において、通常の可視光下において肉眼で視認されない画像を赤外線カメラを用いて認識可能となる状態を示した説明図。
【図９】本発明の実施の形態１による網点印刷物を身分証明書に適用し、上記実施例２と同様に身分証明書をオンデマンド印刷する実施例４において、通常の可視光下において肉眼で視認される画像を示した説明図。
【図１０】同実施例４として、上記実施例２と同様に身分証明書をオンデマンド印刷する場合において、通常の可視光下において肉眼で視認されない画像を赤外線カメラで認識可能となることを示した説明図。
【図１１】本発明の実施の形態２による網点画像データ又は網点印刷物の作成システム、認証システムの構成を示した説明図。
【図１２】本発明の実施の形態３による網点画像データ又は網点印刷物の作成装置の構成を示したブロック図。
【図１３】本発明の実施の形態４による網点画像データ又は網点印刷物の作成方法における処理の手順、またコンピュータを作成装置として動作させるためのプログラムの構成を示したフローチャート。
【図１４】同実施の形態４により作成する網点印刷物の構成の一例を示した説明図。
【図１５】同実施の形態４により作成する網点印刷物の構成の他の例を示した説明図。
【図１６】本発明の実施の形態５による印刷物の認証装置の構成を示したブロック図。
【図１７】本発明の実施の形態による印刷物の認証方法における処理の手順、またコンピュータを認証装置として動作させるためのプログラムの構成を示したフローチャート。
【図１８】図１４に示された網点印刷物の構成の他の例を示した説明図。
【図１９】図１５に示された網点印刷物の構成の他の例を示した説明図。
【図２０】図１９に示された網点印刷物において、第１、第２のハーフトーン領域において階調度に応じてドットが拡がる様子を示した説明図。
【符号の説明】
【００５８】
１０  個人
２０、４０  行政局
３０  印刷局
１００、２００  入力部
１１０、２１０  演算部
１２０、２２０  記憶部
１３０、２３０  出力部
１４０  印刷物
ＨＴ１、ＨＴ１ａ、ＨＴ１ｂ、ＨＴ１ｃ、ＨＴ１ｄ  第１のハーフトーン領域
ＨＴ２、ＨＴ２ａ、ＨＴ２ｂ、ＨＴ１ｃ、ＨＴ１ｄ  第２のハーフトーン領域
【図１】
2005103980.tif 000003
【図２】
2005103980.tif 000004
【図３】
2005103980.tif 000005
【図４】
2005103980.tif 000006
【図５】
2005103980.tif 000007
【図６】
2005103980.tif 000008
【図７】
2005103980.tif 000009
【図８】
2005103980.tif 000010
【図９】
2005103980.tif 000011
【図１０】
2005103980.tif 000012
【図１１】
2005103980.tif 000013
【図１２】
2005103980.tif 000014
【図１３】
2005103980.tif 000015
【図１４】
2005103980.tif 000016
【図１５】
2005103980.tif 000017
【図１６】
2005103980.tif 000018
【図１７】
2005103980.tif 000019
【図１８】
2005103980.tif 000020
【図１９】
2005103980.tif 000021
【図２０】
2005103980.tif 000022